(57)【要約】【課題】空気調和機の室内機において、室内ファンモータの回転数変更時のハンチングを抑える事。【解決手段】室内熱交換器と、室内ファンと、室内熱交換器の温度検出手段と、遠隔制御装置とを備え、室内熱交換器温度が第１の温度領域から第２の温度領域になった時、室内ファンの回転数を遠隔制御装置にて設定された目標回転数まで所定の回転数ΔＮずつ所定時間Ｔａで変更させることにより、室内熱交換器が２つの温度領域間を頻繁にハンチングする事を抑えて、室内ファン回転数の安定性を向上させ、快適性を向上させることができる。【選択図】図１
2007113866.tif 000002
【特許請求の範囲】
【請求項１】
室内熱交換器と、室内ファンと、前記室内熱交換器の温度を検出する温度検出手段と、遠隔制御装置とを備え、前記遠隔制御装置にて設定された目標回転数と前記室内熱交換器温度とから前記室内ファンの回転数を制御する回転数制御手段を持つ空気調和機であって、前記室内熱交換器温度が第１の温度領域から第２の温度領域になった時、前記室内ファンの回転数を前記目標回転数まで所定の回転数ΔＮずつ所定時間Ｔａで変更させることを特徴とする空気調和機。
【請求項２】
室内熱交換器の温度変化率を検出する変化率検出手段を持ち、前記室内熱交換器温度が第１の温度領域から第２の温度領域になった時点の前記温度変化率により室内ファン回転数変更時の所定時間Ｔａを可変とする請求項１に記載の空気調和機。
【請求項３】
室内熱交換器の温度変化率を検出する変化率検出手段を持ち、前記室内熱交換器温度が第１の温度領域から第２の温度領域になった時点の前記温度変化率により室内ファン回転数変更時の所定の回転数ΔＮを可変とする請求項１に記載の空気調和機。
【請求項４】
室内熱交換器と、室内ファンと、前記室内熱交換器の温度を検出する温度検出手段と、遠隔制御装置とを備え、前記遠隔制御装置にて設定された目標回転数と前記室内熱交換器温度とから前記室内ファンの回転数を制御する回転数制御手段を持つ空気調和機であって、前記室内熱交換器温度が一の温度領域内にあり、かつ前記室内ファンの前記目標回転数が変更された場合、前記室内ファンの回転数を所定の回転数ΔＮずつ所定時間Ｔａで変更させることを特徴とする空気調和機。
【請求項５】
室内熱交換器温度が一の温度領域に入ってからの経過時間により室内ファン回転数変更時の所定時間Ｔａを可変とする請求項４に記載の空気調和機。
【請求項６】
室内熱交換器温度が一の温度領域に入ってからの経過時間により室内ファン回転数変更時の所定の回転数ΔＮを可変とする請求項４に記載の空気調和機。
【請求項７】
第１の温度領域と第２の温度領域の境界と現在の室内熱交換器温度の差により室内ファン回転数変更時の所定時間Ｔａを可変とする請求項４に記載の空気調和機。
【請求項８】
第１の温度領域と第２の温度領域の境界と現在の室内熱交換器温度の差により室内ファン回転数変更時の所定の回転数ΔＮを可変とする請求項４に記載の空気調和機。
【請求項９】
目標回転数が変更された時点の室内熱交換器温度の変化率により室内ファン回転数変更時の所定時間Ｔａを可変とする請求項４に記載の空気調和機。
【請求項１０】
目標回転数が変更された時点の室内熱交換器温度の変化率により室内ファン回転数変更時の所定の回転数ΔＮを可変とする請求項４に記載の空気調和機。
【請求項１１】
目標回転数に向けて室内ファンの回転数を変化させている際の室内熱交換器温度変化率により前記室内ファン回転数変更時の所定の回転数ΔＮを可変とする請求項１〜１０のいずれか１項に記載の空気調和機。
【請求項１２】
目標回転数に向けて室内ファンの回転数を変化させている際の室内熱交換器温度変化率により前記室内ファン回転数変更時の所定時間Ｔａを可変とする請求項１〜１０のいずれか１項に記載の空気調和機。
【発明の詳細な説明】
【技術分野】
【０００１】
本発明は室内ファン回転数制御手段を有する空気調和機に関するものである。
【背景技術】
【０００２】
従来、この種の空気調和機では室内ファンの回転数はファン回転速度が超低速、低速、中速等となるようにステップ制御されており、室内熱交換機温度及び遠隔制御装置にて設定された目標回転数によって制御されていた。具体的には室内熱交換機温度を複数の温度領域に分け、温度領域に応じて室内ファン回転数の最適値と最大値を規制し、温度領域が変化した際には回転数を即時変化していた。また、遠隔制御装置にて設定された目標回転数と温度領域に応じて設定された室内ファン回転数の最適値が異なる場合には、温度領域に応じて決められた最大値以下になるよう規制していた（例えば、特許文献１参照）。
【０００３】
図５は、従来の室内熱交換器温度と室内ファン回転数との変化を表すタイムチャートである。図５に示すように、縦軸に室内熱交換器温度と室内ファン回転数を、横軸に時間を表し、室内熱交換器温度が上昇し、第１の温度領域から第２の温度領域に変化すると、この温度領域の変化に応じて、室内ファン回転数がＮ１からＮ２へステップ変化する。逆に、室内熱交換器温度が下降し、第２の温度領域から第１の温度領域に変化すると、この温度領域の変化に応じて、室内ファン回転数がＮ２からＮ１へステップ変化する。
【特許文献１】特開２００５−１４７６１４号公報
【発明の開示】
【発明が解決しようとする課題】
【０００４】
しかしながら、前記従来の構成では、温度領域が変化した際、室内ファン回転数は即時に目標回転数にステップ変化するため、室内熱交換器における放熱量が急激に増減して室内熱交換器温度が急激に変化し、再び温度領域が変化して元に戻るため温度境界前後で室内熱交換器温度がハンチングを起こし、それに伴い室内ファン回転数も安定しないという課題を有していた。
【０００５】
本発明は、前記従来の課題を解決するもので、室内熱交換器温度変化時に温度領域間を頻繁にハンチングする事を抑えて室内ファンの安定性を向上させ、快適性の向上した空気調和機を提供することを目的とする。
【課題を解決するための手段】
【０００６】
前記従来の課題を解決するために、本発明の空気調和機は、室内熱交換器温度変化時に、室内熱交換器温度や回転数の変化率等の状態により室内ファン回転数変化量や変更時間を可変とするもので、これによって、必要最小限の規制で、室内ファン回転数が急激に変化することなく目標回転数まで移行し、室内熱交換器の急激な温度変化を抑え、温度領域間を頻繁にハンチングする事を抑えて室内ファンの安定性を向上させ、快適性の向上が可能となる。
【発明の効果】
【０００７】
本発明の空気調和機は、室内熱交換器温度変化時に温度領域間を頻繁にハンチングする事を抑えて、室内ファン回転数の安定性を向上させ、快適性を向上させることができる。
【発明を実施するための最良の形態】
【０００８】
第１の発明は、室内熱交換器温度が第１の温度領域から第２の温度領域になった時、室内ファンの回転数を遠隔制御装置にて設定された目標回転数まで所定の回転数ΔＮずつ所
定時間Ｔａで変更させることにより、室内ファン回転数を目標値までに一度にステップ変化させるのでなく、徐々に変化させることで、室内熱交換器温度の急激な変化に伴うハンチングを防ぐことができ、室内ファンの安定性を向上させて快適性を向上させることができる。
【０００９】
第２の発明は、特に、第１の発明の室内ファン回転数変更時の所定時間Ｔａを室内熱交換器温度が第１の温度領域から第２の温度領域になった時点の温度変化率によって可変とすることにより、室内ファン回転数を徐々に変化させる際に、領域変化時の室内熱交換器温度変化率が大きい時は回転数変更時間を長く、変化率が小さい時は変更時間を短く変更することで、室内ファン回転数のハンチングを防ぐとともに必要以上の規制を避け早く目標回転数まで到達することができ、室内ファンの安定性を向上させて快適性を上昇させることができる。
【００１０】
第３の発明は、特に、第１の発明の室内ファン回転数変更時の所定の回転数ΔＮを室内熱交換器温度が第１の温度領域から第２の温度領域になった時点の温度変化率によって可変とすることにより、室内ファン回転数を徐々に変化させる際に、領域変化時の室内熱交換器温度変化率が大きい時は回転数変化量を大きく、変化率が小さい時は回転数変化量を小さく変更することで、室内ファン回転数のハンチングを防ぐとともに必要以上の規制を避け早く目標回転数まで到達することができ、室内ファンの安定性を向上させて快適性を上昇させることができる。
【００１１】
第４の発明は、室内熱交換器温度が一の温度領域にある時、室内ファンの回転数が遠隔制御装置にて変更された場合、目標回転数まで所定の回転数ΔＮずつ所定時間Ｔａで変更させることにより、室内ファン回転数を目標値まで１ステップで変化させるのでなく、徐々に変化させることで室内熱交換器温度の急激な変化を抑え、室内ファン回転数のハンチングを防ぐことができ、室内ファンの安定性を向上させて快適性を上昇させることができる。
【００１２】
第５の発明は、特に、第４の発明の室内ファン回転数変更時の所定時間Ｔａを、一の温度領域になってからの経過時間によって可変とすることにより室内ファン回転数を徐々に変化させる際に、一の温度領域に入ってからの経過時間が長い時は回転数変更時間を長く、経過時間が短い時は回転数変更時間を短く変更することで、室内ファン回転数のハンチングを防ぐとともに必要以上の規制を避け早く目標回転数まで到達することを可能とする。
【００１３】
第６の発明は、特に、第４の発明の室内ファン回転数変更時の所定の回転数ΔＮを、室内熱交換器温度が一の温度領域になってからの経過時間によって可変とすることにより室内ファン回転数を徐々に変化させる際に、一の温度領域に入ってからの経過時間が長い時は回転数変化量を大きく、経過時間が短い時は回転数変化量を小さく変更することで、室内ファン回転数のハンチングを防ぐとともに必要以上の規制を避け早く目標回転数まで到達することを可能とする。
【００１４】
第７の発明は、特に、第４の発明の室内ファン回転数変更時の所定時間Ｔａを、現在の室内熱交換器温度と第１、２の温度領域の境界値との差に応じて可変とすることにより室内ファン回転数を徐々に変化させる際に、現在の室内熱交換器温度と領域の境界温度との差が大きい時は回転数変更時間を長く、差が小さい時は回転数変更時間を短く変更することで、室内ファン回転数のハンチングを防ぐとともに必要以上の規制を避け早く目標回転数まで到達することを可能とする。
【００１５】
第８の発明は、特に、第４の発明の室内ファン回転数変更時の所定の回転数ΔＮを、現
在の室内熱交換器温度と第１、２の温度領域の境界値との差に応じて可変とすることにより室内ファン回転数を徐々に変化させる際に、現在の室内熱交換器温度と領域の境界温度との差が大きい時は回転数変化量を大きく、差が小さい時は回転数変化量を小さく変更することで、室内ファン回転数のハンチングを防ぐとともに必要以上の規制を避け早く目標回転数まで到達することを可能とする。
【００１６】
第９の発明は、特に、第４の発明の室内ファン回転数変更時の所定時間Ｔａを、室内ファンの回転数が遠隔制御装置にて変更された時点の室内熱交換器温度の温度変化率に応じて可変とすることにより室内ファン回転数を徐々に変化させる際に、目標変更時の室内熱交換器温度変化率が大きい時は回転数変化量を大きく、変化率が小さい時は回転数変化量を小さく変更することで、室内ファン回転数のハンチングを防ぐとともに必要以上の規制を避け早く目標回転数まで到達することを可能とする。
【００１７】
第１０の発明は、特に、第４の発明の室内ファン回転数変更時の所定の回転数ΔＮを、室内ファンの回転数が遠隔制御装置にて変更された時点の室内熱交換器温度の温度変化率に応じて可変とすることにより室内ファン回転数を徐々に変化させる際に、目標変更時の室内熱交換器温度変化率が大きい時は回転数変更時間を長く、変化率が小さい時は回転数変更時間を短く変更することで、室内ファン回転数のハンチングを防ぐとともに必要以上の規制を避け早く目標回転数まで到達することを可能とする。
【００１８】
第１１の発明は、特に、第１〜１０のいずれか１つの発明の室内ファン回転数を徐々に変化させる際に、ある時点の室内熱交換器温度変化率が予測された温度変化率より大きい時は回転数変化量を小さく、小さい時は回転数変化量を大きく変更することにより、随時室内ファンの回転数を調整することを可能にし、周波数変化や負荷変化等の周囲の状況が変化しても、ハンチングを防ぐとともに必要以上の規制を避け早く目標回転数まで到達することを可能とする。
【００１９】
第１２の発明は、特に、第１〜１０のいずれか１つの発明の室内ファン回転数を徐々に変化させる際に、ある時点の室内熱交換器温度変化率が予測された温度変化率より大きい時は回転数変更周期を長く、小さい時は回転数変更周期を短く変更することにより、随時室内ファンの回転数を調整することを可能にし、周波数変化や負荷変化等の周囲の状況が変化しても、ハンチングを防ぐとともに必要以上の規制を避け早く目標回転数まで到達することを可能とする。
【００２０】
以下、本発明の実施の形態について、図面を参照しながら説明する。なお、この実施の形態によって本発明が限定されるものではない。
【００２１】
（実施の形態１）
図２は、本発明の第１の実施の形態における空気調和機の概略の一部破断斜視図を示している。
【００２２】
図２において、空気調和機本体５に吸い込まれた室内空気は、室内熱交換器１を通過する際に冷媒と熱交換されて、温度変化し、室内ファン２により、再び室内に吹出される。吹出される風の強さは、温度検出手段３によって検出された室内熱交換器温度等から空気調和機の制御装置（図示せず）によって最適値が指示される他、ユーザが遠隔制御装置４で直接、微風、弱風、強風等、何段階かに分けられた強さの内、好みの強さを指示することもできる。
【００２３】
指示された風の強さに応じて、室内ファン２の目標回転数は、微風であれば超低速回転、弱風であれば低速回転、等のように決められている。
【００２４】
更に具体的には室内熱交換機温度を複数の温度領域に分け、温度領域に応じて室内ファン回転数の最適値と最大値、最小値を定め、温度領域が変化した際には回転数を最適値となるように変化させる。この変化のフローについては後述する。
【００２５】
また、遠隔制御装置４にて設定された目標回転数と温度領域に応じて設定された室内ファン回転数の最適値が異なる場合には、温度領域に応じて決められた最大値以下になるよう規制する。
【００２６】
図１は、本発明の第１の実施の形態における、室内配管温度領域が第１の温度領域から第２の温度領域に変化した場合の制御のフローチャートを示している。例えば、第１の温度領域が低温領域で、第２の温度領域が高温領域であれば、室内配管温度が上昇している場合となる。
【００２７】
図１において、室内ファン運転時、ＳＴ１で室内熱交換器温度を計測し、第１の温度領域のままである場合には、ＳＴ２へ進み室内ファン回転数の最大値規制を行う。
【００２８】
室内熱交換器温度が上昇し、第１の温度領域から第２の温度領域へ入った場合、ＳＴ３へ進む。ＳＴ３では、最大値規制を解除し遠隔制御装置により指定された室内ファン回転数を目標回転数とする。
【００２９】
ＳＴ４で現在の室内ファン回転数と目標回転数を比較し、等しい場合にはＳＴ１１へ進みファン回転数を維持する、一方、異なる場合には、室内ファン回転数変更の所定時間Ｔａと所定回転数ΔＮを決定する工程へと進む。
【００３０】
ＳＴ５で室内ファン回転数と目標回転数を比較し、差異が小さい等、所定時間Ｔａと回転数ΔＮが可変でない場合は、ＳＴ７へ進み室内ファン回転数を１ステップで変更するよう決定する。即ち、所定時間Ｔａ＝０、所定の回転数ΔＮ＝（目標回転数）−（現在の回転数）である。
【００３１】
また、可変である場合には、ＳＴ６で領域変更時の室内熱交換器温度の変化率を計測し、ＳＴ７で刻み値である所定回転数ΔＮと所定時間Ｔａを決定する。
【００３２】
ＳＴ７で決定された室内ファン回転数の変更方法により、ＳＴ８で室内ファン回転数の変更を実施する。そして、ＳＴ９で、室内ファン回転数が目標回転数に達した時点でＳＴ１１へ進み、室内ファン回転数を維持する。
【００３３】
ＳＴ９で目標回転数と異なる場合にはＳＴ１０へ進む。ＳＴ１０では、室内熱交換器温度の変化率を測定し、ＳＴ７で決定された室内ファン回転数の変更方法から予測される室内熱交換器温度の予測変化率と同等の場合にはＳＴ６に戻り室内ファン回転数変更を継続する。予測変化率と同等でない場合には、ＳＴ７へ戻り、回転数変更の所定時間Ｔａと所定回転数ΔＮを再設定し、再びＳＴ８へ進む。
【００３４】
例えば、測定された室内熱交換器温度の変化率が予測変化率よりも大きい場合、ハンチングが起こる可能性が高いと判断し、室内熱交換器温度の低下を避けるため、ＳＴ７へ戻り室内熱交換器温度の変化率が小さくなるよう回転数変更の所定時間Ｔａを長くし、所定回転数ΔＮを小さくするように再設定する。
【００３５】
尚、図１では室内熱交換器温度が上昇し、第１の温度領域から第２の温度領域へ入った場合を説明したが、室内熱交換器温度が下降し、第２の温度領域から第１の温度領域へ入
った場合にもフローチャートはほぼ同様となる。
【００３６】
図３は、本発明の第１の実施の形態における室内熱交換器温度と室内ファン回転数との変化を表すタイムチャートを示すものである。
【００３７】
図３に示すように、縦軸に室内熱交換器温度と室内ファン回転数を、横軸に時間を表すもので、室内熱交換器温度が上昇し、第１の温度領域から第２の温度領域に変化すると、この温度領域の変化に応じて、室内ファン回転数が現在の室内ファン回転数Ｎ１から目標回転数Ｎ２へ変化するが、Ｎ１からＮ２へ１ステップで変化するのではなく、領域変更時の室内熱交換器温度の変化率を計測し、所定時間Ｔａ内に所定回転数ΔＮずつ室内ファン回転数を増加させ、ハンチングを防ぎながら、最終的に室内ファン回転数がＮ２となるように変化させている。
【００３８】
以上のように、本実施の形態においては室内熱交換器温度が第１の温度領域から第２の温度領域になった時、室内ファンの回転数を遠隔制御装置にて設定された目標回転数まで所定の回転数ΔＮずつ所定時間Ｔａで変更させ、更に室内熱交換器の温度変化率に応じて、所定の回転数ΔＮ及び所定時間Ｔａを可変とすることにより、室内ファン回転数を目標値までに徐々に変化させることで、室内熱交換器温度の急激な変化に伴うハンチングを防ぐことができ、室内ファン回転数のハンチングを防ぐとともに必要以上の規制を避け早く目標回転数まで到達することができ、室内ファンの安定性を向上させて快適性を上昇させることができる。
【００３９】
（実施の形態２）
図４は本発明の第２の実施の形態における、室内配管温度領域が一の領域内で、遠隔制御装置により室内ファン回転数が変更された場合の制御のフローチャートを示している。
【００４０】
図４において、室内ファン運転時、一の領域が第２の温度領域の場合、ＳＴ１２で室内熱交換器温度を計測し、第２の温度領域でない場合には、図１のＳＴ３へ進む。
【００４１】
室内熱交換器温度が第２の温度領域のままである場合、ＳＴ１４へ進む。ＳＴ１４において、遠隔制御装置により目標の室内ファン回転数が変更されない場合、ＳＴ１３へ進み室内ファン回転数の最大値規制を維持する。
【００４２】
ＳＴ１４において、遠隔制御装置により目標の室内ファン回転数が変更されると、ＳＴ１５へ進み、現在の室内ファン回転数と目標回転数を比較し、等しい場合にはＳＴ２２へ進みファン回転数を維持する。一方、異なる場合には、室内ファン回転数変更の所定時間Ｔａと所定の回転数ΔＮを決定する工程へと進む。
【００４３】
ＳＴ１６で室内ファン回転数と目標回転数を比較し、差異が小さい等、所定時間Ｔａと所定の回転数ΔＮが可変でない場合は、ＳＴ１８へ進み、室内ファン回転数を１ステップで変更するよう決定する。即ち、所定時間Ｔａ＝０、所定の回転数ΔＮ＝（目標回転数）−（現在の回転数）である。
【００４４】
また、可変である場合には、ＳＴ１７で刻み値である所定回転数ΔＮと所定時間Ｔａを決定するための条件を測定し、ＳＴ１８で刻み値である所定回転数ΔＮと所定時間Ｔａを決定する。
【００４５】
一例として、ＳＴ１２直前に室内熱交換器温度が第１の温度領域から第２の温度領域に変わるなど、室内熱交換器温度が第１の温度領域から第２の温度領域となってからの経過時間が短い場合、室内熱交換器温度は十分に温度が上がりきっていないため、室内ファン
回転数が低速から高速に変わると急激に室内熱交換器温度が下がり、ハンチングが起こる可能性があるので、所定時間Ｔａを長めに、所定回転数ΔＮを小さく複数ステップで時間をかけて室内ファン回転数を変更するような条件を決定する。
【００４６】
また、第１の温度領域と第２の温度領域の境界と現在の室内熱交換器温度の差により、所定回転数ΔＮと所定時間Ｔａを決定してもよいし、室内ファンの回転数が遠隔制御装置にて変更された時点の室内熱交換器温度の温度変化率に応じて決定してもよい。
【００４７】
更にこれらの条件を組み合わせたものとしてもよい。
【００４８】
このような条件に応じてＳＴ１８で決定された室内ファン回転数の変更方法により、ＳＴ１９で室内ファン回転数の変更を実施する。そして、ＳＴ２０で、室内ファン回転数が目標回転数に達した時点でＳＴ２２へ進み、室内ファン回転数を維持する。
【００４９】
ＳＴ２０で目標回転数と異なる場合にはＳＴ２１へ進む。ＳＴ２１では、室内熱交換器温度の変化率を測定し、ＳＴ１８で決定された室内ファン回転数の変更方法から予測される室内熱交換器温度の予測変化率と同等の場合にはＳＴ１９に戻り室内ファン回転数変更を継続する。予測変化率と同等でない場合には、ＳＴ１８へ戻り、回転数変更の所定時間Ｔａと所定回転数ΔＮを再設定し、再びＳＴ１９へ進む。
【００５０】
例えば、測定された室内熱交換器温度の変化率が予測変化率よりも大きい場合、ハンチングが起こる可能性が高いと判断し、室内熱交換器温度の低下を避けるため、ＳＴ１８へ戻り室内熱交換器温度の変化率が小さくなるよう回転数変更の所定時間Ｔａを長くし、所定回転数ΔＮを小さくするように再設定し、再びＳＴ１８へ進む。
【００５１】
尚、図４では室内熱交換器温度が第２の温度領域内にある場合を説明したが、第１の温度領域内にある場合にもフローチャートはほぼ同様となる。
【００５２】
以上のように、本実施の形態においては、室内熱交換器温度が一の温度領域にある時に、室内ファンの回転数が遠隔制御装置にて変更された場合、目標回転数まで所定の回転数ΔＮずつ所定時間Ｔａで変更させ、更に一の温度領域になってからの経過時間に応じて、或いは現在の室内熱交換器温度と第１、２の温度領域の境界値との差に応じて、或いは室内ファンの回転数が変更された時点の室内熱交換器温度の温度変化率に応じて、所定の回転数ΔＮ及び所定時間Ｔａを可変とすることにより、室内ファン回転数を目標値までに徐々に変化させることで、室内熱交換器温度の急激な変化に伴うハンチングを防ぐことができ、室内ファン回転数のハンチングを防ぐとともに必要以上の規制を避け早く目標回転数まで到達することができ、室内ファンの安定性を向上させて快適性を上昇させることができる。
【００５３】
また、室内ファン回転数を徐々に変化させる際に、ある時点の室内熱交換器温度変化率が大きい時は回転数変更回転数ΔＮや変更時間Ｔａを長く、変化率が小さい時は回転数変更回転数ΔＮや変更時間Ｔａを短く変更することにより、随時室内ファンの回転数を調整することを可能にし、周波数変化や負荷変化等の周囲の状況が変化しても、ハンチングを防ぐとともに必要以上の規制を避け早く目標回転数まで到達することを可能とする。
【産業上の利用可能性】
【００５４】
以上のように、本発明にかかる空気調和機は、熱源と送風ファンを有する機器のファンの安定性を向上させるので、ファンヒーター等の用途にも適用できる。
【図面の簡単な説明】
【００５５】
【図１】本発明の実施の形態１における室内配管温度領域が第１の領域から第２の領域に変化した場合の制御のフローチャート
【図２】本発明の実施の形態１における空気調和機の概略の一部破断斜視図
【図３】本発明の実施の形態１における室内熱交換器温度と室内ファン回転数との変化を表すタイムチャート
【図４】本発明の実施の形態２における室内配管温度領域から一の領域内で、遠隔制御装置により室内ファン回転数が変更された場合の制御のフローチャート
【図５】従来の室内熱交換器温度と室内ファン回転数との変化を表すタイムチャート
【符号の説明】
【００５６】
１  室内熱交換器
２  室内ファン
３  温度検出手段
４  遠隔制御装置
５  空気調和機本体
【図１】
2007113866.tif 000003
【図２】
2007113866.tif 000004
【図３】
2007113866.tif 000005
【図４】
2007113866.tif 000006
【図５】
2007113866.tif 000007